(57)【要約】【課題】  チャンネルプリセットの時間短縮をできるようにする。【解決手段】  チャンネルプリセットとして、ステップＳ１において、所定の放送局からの放送電波の放送周波数を第１の精度で検出する「広域選局処理」が、第１のチューナを制御して実行される。ステップＳ２において、第１の精度よりも細かい第２の精度で放送周波数をさらに検出し、検出された放送周波数を標準周波数として登録する「小域選局処理」が、第２のチューナを制御して実行される。ステップＳ３において、所定の放送局からの放送電波に対応するテレビジョン放送信号のうちの音声信号に関する情報（テレビシステムや音声多重）を検出する処理が、第２のチューナ（メインチューナ部）を制御して実行される。本発明は、２以上のチューナを有するテレビジョン受像機に適用可能である。【選択図】  図４
2006173968.tif 000002
【特許請求の範囲】
【請求項１】
アナログのテレビジョン放送信号が複数の放送局から放送電波として放送される場合、複数の前記放送局のうちの選局された放送局からの放送電波を受信するチューナを２以上備える選局装置において、
複数の前記放送局のうちの所定の放送局の標準周波数の登録または更新のための処理として、
前記所定の放送局からの放送電波の放送周波数を第１の精度で検出する第１の周波数検出ステップと、
前記第１の検出ステップの処理により前記放送周波数が前記第１の精度で検出された場合、前記第１の精度よりも細かい第２の精度で前記放送周波数をさらに検出し、検出された前記放送周波数を、前記所定の放送局の前記標準周波数として登録または更新する第２の周波数検出ステップと、
前記所定の放送局からの前記放送電波に対応するテレビジョン放送信号のうちの音声信号に関する情報を検出する音声検出ステップと
のそれぞれの処理を少なくとも実行する処理実行手段を備え、
前記処理実行手段は、
前記第１の周波数検出ステップ、前記第２の周波数検出ステップ、および、前記音声検出ステップのうちの、少なくとも１つの処理を、２以上の前記チューナのうちの第１のチューナを制御することで実行し、残りの処理を、２以上の前記チューナのうちの前記第１のチューナとは異なる第２のチューナを制御することで実行する
ことを特徴とする選局装置。
【請求項２】
前記処理実行手段は、前記第１の周波数検出ステップの処理を前記第１のチューナを制御することで実行し、前記第２の周波数検出ステップおよび前記音声検出ステップの処理を前記第２のチューナを制御することで実行する
ことを特徴とする請求項１に記載の選局装置。
【請求項３】
複数の前記放送局のうちの第１の放送局と第２の放送局のそれぞれの前記標準周波数の登録または更新がその順番で行なわれる場合、
前記処理実行手段は、
前記第１の放送局についての前記第１の周波数検出ステップの処理を前記第１のチューナを制御することで実行し、
前記第１の放送局についての前記第１の周波数検出ステップの処理が終了したとき、前記第１の放送局についての前記第２の周波数検出ステップおよび前記音声検出ステップの処理を前記第２のチューナを制御することで実行するとともに、前記第２の放送局についての前記第１の周波数検出ステップの処理を前記第１のチューナを制御することで実行し、
前記第１の放送局についての前記第２の周波数検出ステップおよび前記音声検出ステップ、並びに、前記第２の放送局についての前記第１の周波数検出ステップの全ての処理が終了したとき、前記第２の放送局についての前記第２の周波数検出ステップおよび前記音声検出ステップの処理を前記第２のチューナを制御することで実行する
ことを特徴とする請求項２に記載の選局装置。
【請求項４】
アナログのテレビジョン放送信号が複数の放送局から放送電波として放送される場合、複数の前記放送局のうちの選局された放送局からの放送電波を受信するチューナを２以上備える選局装置の選局方法において、
複数の前記放送局のうちの所定の放送局の標準周波数の登録または更新のためのステップとして、
前記所定の放送局からの放送電波の放送周波数を第１の精度で検出する第１の周波数検出ステップと、
前記第１の検出ステップの処理により前記放送周波数が前記第１の精度で検出された場合、前記第１の精度よりも細かい第２の精度で前記放送周波数をさらに検出し、検出された前記放送周波数を、前記所定の放送局の前記標準周波数として登録または更新する第２の周波数検出ステップと、
前記所定の放送局からの前記放送電波に対応するテレビジョン放送信号のうちの音声信号に関する情報を検出する音声検出ステップと
を少なくとも含み、
前記選局装置は、
前記第１の周波数検出ステップ、前記第２の周波数検出ステップ、および、前記音声検出ステップのうちの、少なくとも１つの処理を、２以上の前記チューナのうちの第１のチューナを制御することで実行し、残りの処理を、２以上の前記チューナのうちの前記第１のチューナとは異なる第２のチューナを制御することで実行する
ことを特徴とする選局方法。
【発明の詳細な説明】
【技術分野】
【０００１】
本発明は、選局装置および方法に関し、特に、アナログのテレビジョン放送信号を放送する放送局についてのチャンネルプリセットにかかる時間を短縮することができる選局装置および方法に関する。
【背景技術】
【０００２】
テレビジョン受像機は、複数の放送局の中から、ユーザ等により指定されたチャンネル（キー）に対応付けられた放送局を選局し、選局された放送局から放送されたテレビジョン放送信号（放送電波）を受信することが多い。
【０００３】
テレビジョン受像機は、このようにして実際の放送電波を受信するためには、その前に、受信可能な１以上の放送電波のそれぞれの放送周波数を初回の選局時にサーチして、サーチされた放送周波数、チャンネル（キー）、および、放送局の３者を対応付けて登録する処理を実行しておく必要がある。係る処理には、オートプリセット、チャンネルプリセット等と様々な呼称が存在する。そこで、本明細書においては、係る処理をチャンネルプリセットと称する。
【０００４】
このようなチャンネルプリセットの従来の手法としては、例えば特許文献１や特許文献２に開示されている手法が存在する。
【特許文献１】特許第３２８１６９０号公報
【特許文献２】特開２００３−１０１３８８号公報
【発明の開示】
【発明が解決しようとする課題】
【０００５】
しかしながら、従来、アナログのテレビジョン放送信号を放送する放送局についてのチャンネルプリセットには非常に時間がかかってしまう、という課題があった。
【０００６】
なお、特許文献１に開示された手法は、標準周波数が予めわかっていることを前提としている。従って、アナログのテレビジョン放送信号を放送する放送局の標準周波数が未知の場合には、例えば一般海外の場合または仕向けが特定できない場合等には、特許文献１に開示された手法をそのまま適用してチャンネルプリセットを行っても、この課題を解決することは非常に困難である。
【０００７】
また、特許文献２に開示された手法は、デジタルのテレビジョン放送信号を放送する放送局についてのチャンネルプリセットを前提としている。従って、特許文献２に開示された手法をそのまま適用して、アナログのテレビジョン放送信号を放送する放送局についてのチャンネルプリセットを行っても、この課題を解決することは非常に困難である。
【０００８】
換言すると、特許文献１と特許文献２とをたとえ組み合わせて、アナログのテレビジョン放送信号を放送する放送局についてのチャンネルプリセットを行っても、この課題を解決することは非常に困難である。
【０００９】
本発明は、このような状況に鑑みてなされたものであり、アナログのテレビジョン放送信号を放送する放送局についてのチャンネルプリセットにかかる時間を短縮することができるようにするものである。
【課題を解決するための手段】
【００１０】
本発明の選局装置は、アナログのテレビジョン放送信号が複数の放送局から放送電波として放送される場合、複数の放送局のうちの選局された放送局からの放送電波を受信するチューナを２以上備える選局装置であって、複数の放送局のうちの所定の放送局の標準周波数の登録または更新のためのステップとして、所定の放送局からの放送電波の放送周波数を第１の精度で検出する第１の周波数検出ステップと、第１の検出ステップの処理により放送周波数が第１の精度で検出された場合、第１の精度よりも細かい第２の精度で放送周波数をさらに検出し、検出された放送周波数を、所定の放送局の標準周波数として登録または更新する第２の周波数検出ステップと、所定の放送局からの放送電波に対応するテレビジョン放送信号のうちの音声信号に関する情報を検出する音声検出ステップとのそれぞれの処理を少なくとも実行する処理実行手段を備え、処理実行手段は、第１の周波数検出ステップ、第２の周波数検出ステップ、および、音声検出ステップのうちの、少なくとも１つの処理を、２以上のチューナのうちの第１のチューナを制御することで実行し、残りの処理を、２以上のチューナのうちの第１のチューナとは異なる第２のチューナを制御することで実行することを特徴とする。
【００１１】
処理実行手段は、第１の周波数検出ステップの処理を第１のチューナを制御することで実行し、第２の周波数検出ステップおよび音声検出ステップの処理を第２のチューナを制御することで実行するようにすることができる。
【００１２】
複数の放送局のうちの第１の放送局と第２の放送局のそれぞれの標準周波数の登録または更新がその順番で行なわれる場合、処理実行手段は、第１の放送局についての第１の周波数検出ステップの処理を第１のチューナを制御することで実行し、第１の放送局についての第１の周波数検出ステップの処理が終了したとき、第１の放送局についての第２の周波数検出ステップおよび音声検出ステップの処理を第２のチューナを制御することで実行するとともに、第２の放送局についての第１の周波数検出ステップの処理を第１のチューナを制御することで実行し、第１の放送局についての第２の周波数検出ステップおよび音声検出ステップ、並びに、第２の放送局についての第１の周波数検出ステップの全ての処理が終了したとき、第２の放送局についての第２の周波数検出ステップおよび音声検出ステップの処理を第２のチューナを制御することで実行するようにすることができる。
【００１３】
本発明の選局方法は、アナログのテレビジョン放送信号が複数の放送局から放送電波として放送される場合、複数の放送局のうちの選局された放送局からの放送電波を受信するチューナを２以上備える選局装置の選局方法であって、複数の放送局のうちの所定の放送局の初回の選局のためのステップとして、所定の放送局からの放送電波の放送周波数を第１の精度で検出する第１の周波数検出ステップと、第１の検出ステップの処理により放送周波数が第１の精度で検出された場合、第１の精度よりも細かい第２の精度で放送周波数をさらに検出し、検出された放送周波数を、所定の放送局の標準周波数として登録または更新する第２の周波数検出ステップと、所定の放送局からの放送電波に対応するテレビジョン放送信号のうちの音声信号に関する情報を検出する音声検出ステップとを少なくとも含み、選局装置は、第１の周波数検出ステップ、第２の周波数検出ステップ、および、音声検出ステップのうちの、少なくとも１つの処理を、２以上のチューナのうちの第１のチューナを制御することで実行し、残りの処理を、２以上のチューナのうちの第１のチューナとは異なる第２のチューナを制御することで実行するようにすることができる。
【００１４】
本発明の選局装置および方法においては、アナログのテレビジョン放送信号が複数の放送局から放送電波として放送される場合、複数の放送局のうちの選局された放送局からの放送電波を受信するチューナを２以上備える選局装置が対象とされる。係る選局装置により、複数の放送局のうちの所定の放送局の標準周波数の登録または更新のための処理として、所定の放送局からの放送電波の放送周波数を第１の精度で検出する第１の周波数検出  
【００１５】
ステップと、第１の検出ステップの処理により放送周波数が第１の精度で検出された場合、第１の精度よりも細かい第２の精度で放送周波数をさらに検出し、検出された放送周波数を、所定の放送局の標準周波数として登録または更新する第２の周波数検出ステップと、所定の放送局からの放送電波に対応するテレビジョン放送信号のうちの音声信号に関する情報を検出する音声検出ステップとのそれぞれの処理が少なくとも実行される。この場合、第１の周波数検出ステップ、第２の周波数検出ステップ、および、音声検出ステップのうちの、少なくとも１つの処理が、２以上のチューナのうちの第１のチューナを制御することで実行され、残りの処理が、２以上のチューナのうちの第１のチューナとは異なる第２のチューナを制御することで実行される。
【発明の効果】
【００１６】
以上のごとく、本発明によれば、アナログのテレビジョン放送信号を放送する放送局の標準周波数の登録または更新の処理を実行できる。即ち、その放送局についてのチャンネルプリセットを実現できる。特に、そのチャンネルプリセットが行われる場合、第１のチューナと第２のチューナとを利用した分散処理が可能になる。即ち、例えば、第１の放送局についてのチャンネルプリセットに伴う処理の一部を第１のチューナを利用して実行している最中に、第２の放送局についてのチャンネルプリセットに伴う処理の一部を第２のチューナを利用して実行することが可能になる。その結果、複数の放送局についてのチャンネルプリセットにかかる時間を短縮することができる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１９】
本発明によれば、選局装置が提供される。この選局装置（例えば、図２の選局装置）は、アナログのテレビジョン放送信号が複数の放送局から放送電波として放送される場合、複数の放送局のうちの選局された放送局からの放送電波を受信するチューナを２以上備える選局装置であって、複数の前記放送局のうちの所定の放送局の標準周波数の登録または更新のための処理として、前記所定の放送局からの放送電波の放送周波数を第１の精度で検出する第１の周波数検出ステップ（例えば図４のステップＳ１の「広域選局処理」）と、前記第１の検出ステップの処理により前記放送周波数が前記第１の精度で検出された場合、前記第１の精度よりも細かい第２の精度で前記放送周波数をさらに検出し、検出された前記放送周波数を、前記所定の放送局の前記標準周波数として登録または更新する第２の周波数検出ステップ（例えば図４のステップＳ２の「小域選局処理」）と、前記所定の放送局からの前記放送電波に対応するテレビジョン放送信号のうちの音声信号に関する情報を検出する音声検出ステップ（例えば図４のステップＳ３の処理）とのそれぞれの処理を少なくとも実行する処理実行手段（例えば図２の主制御部２２）を備え、前記処理実行手段は、前記第１の周波数検出ステップ、前記第２の周波数検出ステップ、および、前記音声検出ステップのうちの、少なくとも１つの処理を、２以上の前記チューナのうちの第１のチューナ（例えば、図２のサブチューナ部１３）を制御することで実行し、残りの処理を、２以上の前記チューナのうちの前記第１のチューナとは異なる第２のチューナ（例えば、図２のメインチューナ部１２）を制御することで実行することを特徴とする。
【００２０】
この選局装置において、複数の前記放送局のうちの第１の放送局（例えば［発明が解決しようとする課題］で上述した放送局Ａ）と第２の放送局（例えば［発明が解決しようとする課題］で上述した放送局Ｂ）のそれぞれの前記標準周波数の登録または更新がその順番で行なわれる場合、前記処理実行手段は、前記第１の放送局についての前記第１の周波数検出ステップの処理（例えば、図５のステップＳ１−Ａの処理）を前記第１のチューナを制御することで実行し、前記第１の放送局についての前記第１の周波数検出ステップの処理が終了したとき、前記第１の放送局についての前記第２の周波数検出ステップおよび前記音声検出ステップの処理（例えば、図５のステップＳ２−ＡおよびＳ３−Ａの処理）を前記第２のチューナを制御することで実行するとともに、前記第２の放送局についての前記第１の周波数検出ステップの処理（例えば図５のステップＳ１−Ｂの処理）を前記第１のチューナを制御することで実行し、前記第１の放送局についての前記第２の周波数検出ステップおよび前記音声検出ステップ、並びに、前記第２の放送局についての前記第１の周波数検出ステップの全ての処理が終了したとき、前記第２の放送局についての前記第２の周波数検出ステップおよび前記音声検出ステップの処理（例えば、図５のステップＳ２−ＢおよびＳ３−Ｂの処理）を前記第２のチューナを制御することで実行するようにすることができる。
【００２１】
本発明によれば、上述した本発明の選局装置の選局方法が提供される。さらに、本発明によれば、本発明のこの選局方法に対応するプログラムや、そのプログラムが記録された記録媒体が提供される。
【００２２】
次に、本発明の実施の形態を説明する前に、本発明がなされるまでの経緯について説明する。
【００２３】
はじめに、本発明人は、上述した従来の課題が生じる要因について解析した。そこで以下、図１を参照して、本発明人による解析結果、即ち、上述した従来の課題が生じる要因について説明する。
【００２４】
図１は、従来のチャンネルプリセットのシーケンスを説明する図である。詳細には、図１は、６つの放送局Ａ乃至Ｆのそれぞれから放送されるアナログのテレビジョン放送信号の放送周波数のそれぞれをサーチするシーケンスを説明する図である。
【００２５】
図１に示されるように、１つの放送局ｋ（ｋは、Ａ乃至Ｆのうちの何れか）についてのチャンネルプリセット行うためには、従来のテレビジョン受像機は、３つの工程１−ｋ乃至３−ｋをその順番で順次実行していく必要がある。
【００２６】
工程１−ｋとは、標準周波数（放送周波数）の走査、即ち、いわゆる広域選局を行う工程をいう。換言すると、工程１−ｋとは、ある程度の精度で放送周波数を検出する工程をいう。詳細には、テレビジョン受像機のチューナに設定する周波数をAFT（Automatic Frequency Tuning）が反応するまで大きなステップ幅で順次上げていく、といった処理が工程１−ｋとして行われる。
【００２７】
なお、以下、テレビジョン受像機のチューナに設定する周波数を、選局周波数fiと称する。
【００２８】
AFTが反応するとは、次のことをいう。
【００２９】
即ち、チューナは、選局周波数fuと放送周波数fiとの相対関係をみて、その相対関係に応じた電圧値を有する信号を、テレビジョン受像機の制御部に供給する。係る信号がAFT信号（電圧）と称されている。
【００３０】
そこで、制御部は、AFT電圧をA/Dコンバータを通すことで数値化し、その結果得られる値（以下、AFT値と称する）を、２つの閾値を使用することで、高い、無し、低いといった３パターンのうちの何れかのパターンに分類する。具体的には例えば、２つの閾値のうちの、高い方を第１の閾値と称し、低い方を第２の閾値と称するとすると、第１の閾値を超えたAFT値は、高いのパターンに分類される。一方、第２の閾値未満のAFT値は、低いのパターンに分類される。そして、第２の閾値以上第１の閾値以下の範囲に入るAFT値は無しのパターンに分類される。
【００３１】
次に、制御部は、過去数回分（例えば１０回分）の閾値の分類結果に基づいて、「高い」、「低い」、「高い  低い」、および「反応無し」のうちの何れであるのかを判断する。
【００３２】
具体的には例えば、選局周波数fuが放送周波数fi（最適周波数）から少し外れると、過去数回分のAFT値のうちの、幾つかが高いに分類され、幾つかが低いに分類される。このように、過去数回分のAFT値の中に、高いと分類されたAFT値と、低いと分類されたAFT値とが混在する場合、「高い  低い」と判断される。
【００３３】
また例えば、選局周波数fuが放送周波数fi（最適周波数）から中程度に外れると、過去数回分のAFT値は、高いと低いとのうちの何れか一方に分類される。このように、過去数回分のAFT値の中に、高いと分類されたAFT値のみが存在する場合、「高い」と判断される。また、過去数回分のAFT値の中に、低いと分類されたAFT値のみが存在する場合、「低い」と判断される。
【００３４】
さらに例えば、選局周波数fuが放送周波数fi（最適周波数）から大幅に外れると、過去数回分のAFT値の全ては無しに分類される。このように、過去数回分のAFT値の中に、無しと分類されたAFT値のみが存在する場合、「反応無し」と判断される。
【００３５】
なお、詳細については後述するが、選局周波数fuが放送周波数fi（最適周波数）にほぼ一致した場合にも、過去数回分のAFT値の全ては無しに分類され、その結果、「反応無し」と判断される。従って、選局周波数fuが放送周波数fi（最適周波数）から大幅に外れたために「反応無し」と判断されたのか、或いは、選局周波数fuが放送周波数fi（最適周波数）にほぼ一致したために「反応無し」と判断されたのかの識別が必要である。この識別は、h_sync信号を利用することで実現可能である。
【００３６】
以上の内容から、工程１−ｋにおいて、これまで「反応無し」と制御部により判断されていたところ、それ以外である（主に「高い」または「低い」）と制御部により判断されるようになったことを、「AFTが反応する」ようになったという。
【００３７】
このようにして「AFTが反応する」ようになった時点で、工程１−ｋが終了して工程２−ｋに進むことになる。
【００３８】
工程２−ｋとは、AFTによる調整、即ち、いわゆる小域選局を行う工程をいう。換言すると、工程２−ｋとは、工程１−ｋよりも細かい精度で放送周波数をさらに検出し、検出された放送周波数を標準周波数として登録する工程をいう。詳細には、「AFTが反応する」ようになったら、選局周波数fuを、ステップ幅を小さくして順次上げていき、最終的に微調整を行い最適周波数（放送周波数fi）へ引き込み、その最適周波数を標準周波数として登録する、といった処理が工程２−ｋとして行われる。
【００３９】
最適周波数に引き込むとは、「AFTが反応する」状態から「AFTが反応しない」状態にすること、即ち、「反応無し」となるように制御することをいう。なお、上述したように、選局周波数fuが放送周波数fiにほぼ一致した場合においても、選局周波数fuが放送周波数fiから大幅に外れた場合においても、「反応無し」という同様の判断がなされるので、その点に注意を有する。
【００４０】
工程３−ｋとは、TV-System（テレビシステム）や音声多重の検出といった音声系の検出を行う工程をいう。より一般的にいうと、工程１−ｋと工程２−ｋとで標準周波数の検出対象（サーチ対象）とされた放送局から放送されたテレビジョン放送信号のうちの、音声信号に関する情報を検出する工程が、工程３−ｋである。
【００４１】
以上説明したように、１つの放送局ｋについてのチャンネルプリセットを行うためには、３つの工程１−ｋ乃至３−ｋをその順番で順次実行していく必要がある。
【００４２】
従来、これらの３つの工程１−ｋ乃至３−ｋの何れもが、１つのチューナを利用して実行されていた。従って、図１の例のように、放送局Ａ乃至Ｆの全てについてのチャンネルプリセットを行うためには、テレビジョン受像機は、１つのチューナを利用して、同図に示されるように、工程１−Ａ乃至３−Ａ、工程１−Ｂ乃至３−Ｂ、工程１−Ｃ乃至３−Ｃ、工程１−Ｄ乃至３−Ｄ、工程１−Ｅ乃至３−Ｅ、並びに、工程１−Ｆ乃至３−Ｆをその順番で順次実行していく必要があった。このため、放送局Ａ乃至Ｆの全てについてのチャンネルプリセットを完了させるまでには、同図に示される時間Ｔ１といった長時間がかかってしまうことになる。即ち、上述した従来の課題が生じてしまうことになる。
【００４３】
このように、これらの３つの工程１−ｋ乃至３−ｋの何れもが１つのチューナを利用して実行されていたことが、従来の課題が生じる要因である。
【００４４】
そこで、本発明人は、係る要因を取り除いて従来の課題を解決すべく、次のような手法を発明した。即ち、本発明人が発明した手法とは、２つのチューナの利用を前提として、工程１−ｋ（標準周波数の走査）、工程２−ｋ（AFTによる調整）、工程３−ｋ（音声系の検出）のうちの、少なくとも１つ工程を一方のチューナを利用して実行し、残りの工程を他方のチューナを利用して実行する手法のことをいう。ただし、工程３−ｋは、MSP(Multi-standard Sound Processor)を有するチューナにより実行されるとする。
【００４５】
以上、本発明人が、係る手法を発明するまでの経緯について説明した。
【００４６】
次に、図２以降の図面を参照して、係る手法を適用した選局装置、即ち、本発明を適用した選局装置の実施の形態について説明する。
【００４７】
図２は、本発明を適用した選局装置の構成例を表している。
【００４８】
図２の例では、放送局ｋについてのチャンネルプリセットのうちの、工程１−ｋ（標準周波数の走査）がサブチューナ部１３を利用して実行され、工程２−ｋ（AFTによる調整）および工程３−ｋ（音声系の検出）がメインチューナ部１２を利用して実行される。なお、チャンネルプリセットの方法（本発明を適用した選局方法）の詳細については、図４乃至図７を参照して後述する。
【００４９】
アナログのテレビジョン放送信号が図示せぬ放送局から放送電波として放送され、アンテナ１１に受信されると、チューナ部１２とチューナ部１３とのそれぞれは、アンテナ１１に受信された放送電波を復調し、その結果得られるテレビジョン放送信号を入力切替部１５に供給する。
【００５０】
なお、本実施の形態では、図２の記載にあわせて、MSP２３を搭載するチューナ部１２をメインチューナ部１２と称し、MSPを搭載していないチューナ部１３をサブチューナ部１３と称する。MSP２３は、例えば上述した工程３−ｋに対応する処理を実行する。
【００５１】
詳細には、メインチューナ部１２とサブチューナ部１３とが、所定の放送局からの放送電波を受信するためには、上述したように、チャンネルプリセットが予め行われている必要がある。即ち、上述したように、所定の放送局についてのチャンネルプリセットが行われてはじめて、その所定の放送局の標準周波数（正確には、それを特定可能な周波数データ。周波数データについては後述する）が登録される。従って、選局された放送局の標準周波数が登録されていれば、主制御部２２は、登録された標準周波数を選局周波数fuとしてメインチューナ部１２とサブチューナ部１３とに通知する。すると、メインチューナ部１２とサブチューナ部１３とは、通知された選局周波数fuに対応する放送周波数fiの放送電波を受信して復調し、その結果得られるテレビジョン放送信号を入力切替部１５に供給する。
【００５２】
なお、係るメインチューナ部１２とサブチューナ部１３との処理は、標準周波数（通知された選局周波数fu）と実際の放送周波数fiとがほぼ一致していることが前提となる。この前提は、多くの場合成立するが、成立しない場合もあり得る。後者の場合、選局装置は、チャンネルプリセットの上述した工程２−ｋと同様の処理を実行することで、選局周波数fuを最適周波数（実際の放送周波数fi）へ引き込めばよい。
【００５３】
これに対して、選局された放送局の標準周波数が登録されていない場合には、その放送局についてのチャンネルプリセットが先ず行われることになる。ただし、このチャンネルプリセットに伴う、主制御部２２、メインチューナ部１２、およびサブチューナ部１３のそれぞれの処理については、図４乃至図７を参照して後述する。
【００５４】
AV信号入力部１４は、図示せぬ外部機器に接続され、外部機器から出力されたAV（Audio and Visual）信号を入力切替部１５に供給する。
【００５５】
なお、以下、説明の簡略上、メインチューナ部１２とサブチューナ部１３とのそれぞれから入力切替部１５に出力されるテレビジョン放送信号もまた、AV（Audio and Visual）信号と称する。
【００５６】
入力切替部１５には、AV信号入力部１４から供給されるAV信号を入力するための入力端１５−１、メインチューナ部１２から供給されるAV信号を入力するための入力端１５−２、およびサブチューナ部１３から供給されるAV信号を入力するための入力端１５−３が設けられている。入力切替部１５にはまた、後述するAV分離部１６に対してAV信号を出力するための出力端１５−４が設けられている。
【００５７】
そこで、入力切替部１５は、後述する主制御部２２の制御に基づいて、入力端１５−１乃至１５−３のうちの何れか１つにスイッチを切り替える。そして例えば、入力切替部１５は、入力端１５−１にスイッチを切り替えた場合、AV信号入力部１４からのAV信号をAV分離部１６に供給する。また例えば、入力切替部１５は、入力端１５−２にスイッチを切り替えた場合、メインチューナ部１２からのAV信号をAV分離部１６に供給する。さらにまた例えば、入力切替部１５は、入力端１５−３にスイッチを切り替えた場合、サブチューナ部１３からのAV信号をAV分離部１６に供給する。
【００５８】
AV分離部１６は、入力切替部１５から供給されたAV信号を、音声信号（Audio信号）と映像信号（Visual信号）とのそれぞれに分離し、音声信号を音声処理部１７に供給するとともに、映像信号を映像処理部２０に供給する。
【００５９】
音声処理部１７は、AV分離部１６から供給された音声信号に対して各種音声処理を施した後、アンプ１８に供給する。アンプ１８は、音声処理部１７から供給された音声信号のゲインを調整して、ゲイン調整後の音声信号をスピーカ１９に供給する。スピーカ１９は、アンプ１９から供給された音声信号に対応する音声を、その音声信号のゲインに対応する音量で外部に出力する。
【００６０】
映像処理部２０は、AV分離部１６から供給された映像信号に対して各種映像処理を施した後、表示部２１に供給する。表示部２１は、映像処理部２０から供給された映像信号に対応する映像を表示する。
【００６１】
主制御部２２は、自身が搭載されている図２の選局装置全体の制御を行う。即ち、図２の例では、主制御部２２は、メインチューナ部１２、サブチューナ部１３、入力切替部１５、AV分離部１６、音声処理部１７、アンプ１８、映像処理部２０、および表示部２１のそれぞれに対する各種制御を行う。
【００６２】
具体的には例えば、主制御部２２は、メインチューナ部１２、サブチューナ部１３、および入力切替部１５等に対してIIC制御を施す。IIC制御とは、I2CやIIC通信と称されるシリアルバス通信を利用した制御をいう。このIIC制御は、主にデバイスの制御に利用される。
【００６３】
また例えば、チャンネルプリセットが行われる場合、主制御部２２は、メインチューナ部１２とサブチューナ部１３とを制御し、その制御の結果、メインチューナ部１２またはサブチューナ部１３から供給される情報を利用して、対応する処理を実行する。なお、以下、チャンネルプリセットが行われる際に主制御部２２が実行する処理を、「チャンネルプリセット処理」と称する。「チャンネルプリセット処理」の詳細については、図４等のフローチャートを参照して後述する。また、「チャンネルプリセット処理」において、メインチューナ部１２またはサブチューナ部１３から主制御部２２に供給されて利用される情報とは、AFT信号やh_sync信号等であるが、これらの情報の使い方等についても後述する。
【００６４】
以上説明したアンテナ１１乃至主制御部２２のそれぞれの詳細な構成については、上述した各機能を実現可能な構成であれば特に限定されない。
【００６５】
例えば、音声処理部１７や映像処理部２０といった機能ブロックは、ハードウエア単体で構成してもよいし、ソフトウエア単体で構成してもよいし、或いは、ハードウエアとソフトウエアとの組み合わせで構成してもよい。
【００６６】
また例えば、図２の例の選局装置がテレビジョン受像機として構成される場合には、主制御部２２は、一般的には、テレビジョン受像機の筺体内に搭載される関係上マイクロコンピュータで構成されることが多い。ただし、主制御部２２は、その他の機能ブロックと同様に、マイクロコンピュータ以外のハードウエア単体で構成してもよいし、ソフトウエア単体で構成してもよいし、或いは、マイクロコンピュータを含むハードウエアとソフトウエアとの組み合わせで構成してもよい。具体的には例えば本実施の形態では、主制御部２２は、図３に示されるコンピュータとして構成されているとする。
【００６７】
即ち、図３は、図２の主制御部２２の詳細な構成例を示している。
【００６８】
図３の主制御部２２において、CPU（Central Processing Unit）３１は、ROM（Read Only Memory）３２に記録されているプログラム、または記憶部３８からRAM（Random Access Memory）３３にロードされたプログラムに従って各種の処理を実行する。RAM３３にはまた、CPU３１が各種の処理を実行する上において必要なデータなども適宜記憶される
【００６９】
CPU３１、ROM３２、およびRAM３３は、バス３４を介して相互に接続されている。このバス３４にはまた、入出力インタフェース３５も接続されている。
【００７０】
入出力インタフェース３５には、ユーザ操作に対応する各種情報を入力する入力部３６、各種情報をユーザに対して出力する出力部３７、ハードディスクなどよりなる記憶部３８、および、通信部３９が接続されている。
【００７１】
通信部３９は、本実施の形態では、図２のメインチューナ部１２、サブチューナ部１３、入力切替部１５、AV分離部１６、音声処理部１７、アンプ１８、映像処理部２０、および表示部２１のそれぞれとの間の通信を制御するとする。さらに、通信部３９は、必要に応じて、インターネットを含む図示せぬネットワークを介して図示せぬ他の装置との間の通信を制御することも可能である。
【００７２】
入出力インタフェース３５にはまた、必要に応じてドライブ４０が接続され、磁気ディスク、光ディスク、光磁気ディスク、或いは半導体メモリなどよりなるリムーバブル記録媒体４１が適宜装着され、そのリムーバブル記録媒体４１から読み出されたコンピュータプログラムが、必要に応じて記憶部３８にインストールされる。
【００７３】
また例えば、図２のメインチューナ部１２、サブチューナ部１３、入力切替部１５、AV分離部１６、音声処理部１７、アンプ１８、映像処理部２０、および表示部２１のうちの少なくとも１つのブロックが、プログラムのインストールまたはロードが可能なメモリを有し、かつ、そのプログラムを実行可能なプロセッサを有するハードウエアで構成されている場合、リムーバブル記録媒体４１から読み出されたコンピュータプログラムは、必要に応じて、通信部３９を介してそれらのブロックに供給される。
【００７４】
なお、主制御部２２がマイクロコンピュータで構成される場合、入力部３６、出力部３７、記憶部３８、および、ドライブ４０等は省略可能である。
【００７５】
以上、本発明が適用される選局装置の構成例について説明した。
【００７６】
次に、図４のフローチャートを参照して、係る構成の選局装置の主制御部２２が実行する処理のうちの、「チャンネルプリセット処理」の一例について説明する。
【００７７】
図４の「チャンネルプリセット処理」は、複数の放送局のうちの所定の１つについてのチャンネルプリセットに伴う処理、換言すると、選局装置が受信可能な複数の放送電波のうちの所定の１つを見つけ出して、その放送周波数（標準周波数）、チャンネル（キー）、および、放送局の３者を関連付けて登録する処理の一例を示している。
【００７８】
図４の「チャンネルプリセット処理」は、所定の放送局の初回の選局時、即ち、所定の放送局の標準周波数が未登録の時に実行される他、必要に応じて適宜実行される。即ち、所定の放送局の標準周波数が登録済みの時に図４の「チャンネルプリセット処理」が実行されると、所定の放送局の標準周波数が更新されて再登録されることになる。
【００７９】
図４のステップＳ１において、主制御部２２は、サブチューナ部１３を制御して、上述した従来の工程１−ｋ（標準周波数の走査）に相当する処理を実行する。係るステップＳ１の処理を、以下、「広域選局処理」と称する。「広域選局処理」の詳細については図６のフローチャートを参照して後述する。
【００８０】
ステップＳ２において、主制御部２２は、メインチューナ部１２を制御して、上述した従来の工程２−ｋ（AFTによる調整）に相当する処理を実行する。係るステップＳ２の処理を、以下、「小域選局処理」と称する。「小域選局処理」の詳細については図７のフローチャートを参照して後述する。
【００８１】
ステップＳ３において、主制御部２２は、メインチューナ部１２のMSP２３を制御して、テレビシステムや音声多重の検出を行う。即ち、ステップＳ３において、主制御部２２は、上述した従来の工程３−ｋ（音声系の検出）に相当する処理を実行する。
【００８２】
ステップＳ３の処理が終了すると、複数の放送局のうちの所定の１つについての「チャンネルプリセット処理」が終了する。即ち、複数の放送局のうちの所定の１つについてのチャンネルプリセットが完了する。
【００８３】
換言すると、複数の放送局のそれぞれのチャンネルプリセットが行われる場合には、各放送局毎に、図４の「チャンネルプリセット処理」が順次実行されていくことになる。
【００８４】
ここで注目すべき点は、ステップＳ１の処理ではサブチューナ部１３が利用されるのに対して、ステップＳ２とＳ３の処理ではメインチューナ部１２が利用される点である。この点により、主制御部２２は、サブチューナ部１３を利用して、所定の放送局についてのステップＳ１の処理を実行している最中に、メインチューナ部１２を利用して、別の放送局についてのステップＳ２やＳ３の処理を並行して実行することが可能になる。
【００８５】
具体的には例えばいま、図１で上述したのと同様に、アナログのテレビジョン放送信号を放送する６つの放送局Ａ乃至Ｆのそれぞれについてのチャンネルプリセットが行われるとする。
【００８６】
この場合、工数の観点では、６つの放送局Ａ乃至Ｆ毎にステップＳ１乃至Ｓ３の処理が各自必要になるので、従来と同様の工数になる。なお、以下、放送局Ａ乃至ＦのそれぞれについてのステップＳ１，Ｓ２，Ｓ３のそれぞれを、ステップＳ１−Ａ乃至Ｓ１−Ｆ，Ｓ２−Ａ乃至Ｓ２−Ｆ，Ｓ３−Ａ乃至Ｓ３−Ｆのそれぞれと称する。
【００８７】
しかしながら、図５に示されるように、主制御部２２は、サブチューナ部１３を利用して、第１の放送局ｍ（ｍは、Ａ乃至Ｆのうちのいずれか）についてのステップＳ１―ｍの処理を実行している最中に、メインチューナ部１２を利用して、第２の放送局ｎ（ｎは、ｍの直前のアルファベット）についてのステップＳ２―ｎやＳ３−ｎの処理を並行して実行することができる。従って、時間軸上の観点では、図５に示されるように、選局装置は、図４の「チャンネルプリセット処理」を上述したように実行することで、従来の所要時間Ｔ１（図１参照）に比較して△Ｔだけ時間短縮した時間Ｔ２だけの短期間で、放送局Ａ乃至Ｆの全てについてのチャンネルプリセットを完了することが可能になる。即ち、上述した従来の課題を解決することが可能になる。
【００８８】
換言すると、図４の「チャンネルプリセット処理」とは、本発明の上述した手法を適用した選局処理、即ち、本発明の選局処理の一実施例に他ならない。
【００８９】
ここで、図６と図７とのそれぞれのフローチャートを参照して、図４のステップＳ１の「広域選局処理」とステップＳ２の「小域選局処理」のそれぞれについて、その順番に個別に説明していく。
【００９０】
図６の「広域選局処理」のステップＳ１１において、主制御部２２は、サブチューナ部１３に設定する選局周波数fuの初期設定を行う。
【００９１】
なお、以下、図６の記載にあるように、サブチューナ部１３に設定する選局周波数fuを、特に選局周波数fusと記述する。メインチューナ部１２に設定する選局周波数fuと区別するためである。即ち、後述する図７の記載にあるように、以下、メインチューナ部１２に設定する選局周波数fuも、特に選局周波数fumと記述する。
【００９２】
また、実際には、主制御部２２は、サブチューナ部１３に対して、選局周波数fusそのものではなく、設定周波数データ（PLLデータ）を通知する。即ち、実際には、設定周波数データに対して所定の周波数（例えばここでは31.25［kHz］）が乗算された結果として、選局周波数fusが得られるのである。ただし、このように選局周波数fusは設定周波数データから一意に求められる。そこで、本明細書においては、説明の簡略上、主制御部２２は、サブチューナ部１３に対して選局周波数fusを通知するとする。このことは、メインチューナ部１２についても同様とする。即ち、本明細書においては、説明の簡略上、主制御部２２は、図７を参照して後述するように、メインチューナ部１２に対しても選局周波数fumを通知するとする。
【００９３】
具体的には例えば、ステップＳ１１において、主制御部２２は、実際には最低周波数データPLL0を設定周波数データの初期設定値としてサブチューナ部１３に通知するが、ここでは、説明の簡略上、最低周波数データPLL0に対して31.25［kHz］を乗算した結果得られる値を、選局周波数fusの初期設定値としてサブチューナ部１３に通知するとする。
【００９４】
サブチューナ部１３は、上述したように、主制御部２２から通知された選局周波数fusと、アンテナ１１を介して実際に受信された放送電波の放送周波数fiとの相対関係をみて、その相対関係に応じた電圧値を有するAFT信号を、主制御部２２に供給する。
【００９５】
そこで、ステップＳ１２において、主制御部２２は、サブチューナ部１３からのAFT信号を取得する。
【００９６】
ステップＳ１３において、主制御部２２は、ステップＳ１２の処理で取得したAFT信号の電圧値（より正確には、上述したように、その電圧値のサンプリング値の過去数回分の分類結果。即ち、高い、低い、無しの３パターンの時間推移）に基づいて、AFTが反応したか否かを判定する。換言すると、ステップＳ１３において、主制御部２２は、選局周波数fusが最適周波数にある程度近づいたか否かを判定する。
【００９７】
ステップＳ１３において、AFTが反応していないと判定された場合、即ち、「反応無し」と主制御部２２により判断された場合、処理はステップＳ１４に進む。
【００９８】
なお、ステップＳ１３において、AFTが反応していないと判定された場合、選局周波数fusが最適周波数から大幅に外れているとみなされて、処理はステップＳ１４に進むことになる。ところが、上述したように、選局周波数fusが最適周波数になった場合にもAFTは反応しなくなる。そこで、選局周波数fusが最適周波数から大幅に外れているためにAFTが反応しないのか、或いは、選局周波数fusが最適周波数となったためにAFTが反応しないのかを判別するために、主制御部２２は、サブチューナ部１３から出力されるh_sync信号を実際には利用する。即ち、実際には、ステップＳ１３の判定処理において、AFT信号の他さらに、h_sync信号も利用される。
【００９９】
ステップＳ１４において、主制御部２２は、更新量Ｄに基づいて、選局周波数fusを上げる方向に更新する。
【０１００】
更新量Ｄとは、設定周波数データ（PLLデータ）の更新量をいう。即ち、設定周波数データは、次の式（１）のように更新される。
【０１０１】
(新)設定周波数データ  ＝  （旧）設定周波数データ  ＋  Ｄ      ・・・（１）
【０１０２】
換言すると、設定周波数データは、次の式（２）のように更新される。なお、式（２）において、ｑは、更新回数を示している。
【０１０３】
（新）設定周波数データ  ＝  PLL0  ＋  Ｄ×ｑ      ・・・（２）
【０１０４】
従って、ステップＳ１４において、選局周波数fusは次の式（３）のように更新されることになる。
【０１０５】
（新）選局周波数fus  ＝  （新）設定周波数データ  ×  31.25［kHz］
・・・（３）
【０１０６】
このようにしてステップＳ１４の処理で選局周波数fusが更新され、更新後の選局周波数fusがサブチューナ部１３に通知されると、処理はステップＳ１２に戻され、それ以降の処理が繰り返される。
【０１０７】
即ち、サブチューナ部１３は、今度は、更新後の選局周波数fusと放送周波数ｆiとの相対関係に応じた電圧値を有するAFT信号を、主制御部２２に返してくる。そこで、ステップＳ１２の処理で、そのAFT信号が取得され、ステップＳ１３の処理で、そのAFT信号の電圧値に基づいてAFTが反応したか否かが再度判定される。そして、AFTがまだ反応していない場合には、ステップＳ１４の処理で、上述した式（３）に従って、選局周波数fusが上がる方向にさらに更新され、処理はステップＳ１２に戻されてそれ以降の処理が繰り返し実行される。
【０１０８】
このようなステップＳ１２乃至Ｓ１４のループ処理が繰り返し実行されていくことで、選局周波数fusが、更新量Ｄ×31.25［ｋＨｚ］ずつ増えていき、最適周波数（放送周波数fi）にだんだんと近づいていくことになる。即ち、更新量Ｄ×31.25［ｋＨｚ］が、上述した工程１−ｋでいう「大きなステップ幅」に対応する。
【０１０９】
そして、選局周波数fusが最適周波数（放送周波数fi）にある程度近づくと、上述したように、「高い」、「低い」、または「高い  低い」（ここでは「低い」とする）と主制御部２２により判定されることになる。すると、ステップＳ１３において、AFTが反応したと判定されて、「広域選局処理」は終了となる。即ち、図４のステップＳ１の処理は終了し、処理はステップＳ２の「小域選局処理」に進むことになる。
【０１１０】
以上説明したように、ステップＳ１の「広域選局処理」が上述した工程１−ｋに相当する処理であることから、ステップＳ１の「広域選局処理」の終了時点の選局周波数fusが、上述した工程２−ｋよりも荒い精度で工程１−ｋに検出された放送周波数に相当すると言える。
【０１１１】
なお、稀な場合であるが、ステップＳ１２乃至Ｓ１４のループ処理が繰り返し実行された結果、選局周波数fusが最適周波数（実際の放送周波数fi）と一致する場合がある。このような場合、上述したように、AFTは反応しないことになる。ただし、このような場合、主制御部２２は、上述したように、選局周波数fusが最適周波数（放送周波数fi）と一致したためにAFTが反応していないことをh_sync信号から認識できる。そこで、このような場合、主制御部２２は、ステップＳ１３において、AFTが反応したと強制的に判定して、「広域選局処理」を終了させればよい。ただし、このような場合、図示はしないが、主制御部２２は、図４のステップＳ２の「小域選局処理」を実行せずに、選局周波数fusを、現在の受信チャンネル（キー）の標準周波数として登録した後、処理を図４のステップＳ３に進めるとする。図４の「チャンネルプリセット処理」全体の処理時間を短縮するためである。
【０１１２】
ただし、図４のステップＳ２の「小域選局処理」のフローを後述する図７の例とは異なるフローとすることで、このような稀な場合にもステップＳ２８の処理でAFTが反応していないと判定させて、処理をステップＳ１４に進めることも当然ながら可能である。
【０１１３】
以上、図６のフローチャートを参照して、図４のステップＳ１の「広域選局処理」の詳細について説明した。
【０１１４】
次に、図７のフローチャートを参照して、図４のステップＳ２の「小域選局処理」の詳細について説明する。
【０１１５】
ステップＳ２１において、主制御部２２は、更新量Ｄから、それより小さい更新量ｄに更新する。即ち、ステップＳ２１の処理が、上述した工程２−１でいう「ステップ幅を小さくして」に相当する処理である。
【０１１６】
ステップＳ２２において、主制御部２２は、メインチューナ部１２に設定する選局周波数fumを、サブチューナ部１３に最後に設定した選局周波数fusと同一にする。サブチューナ部１３に最後に設定した選局周波数fusとは、図４のステップＳ１の「広域選局処理」の終了時点でサブチューナ部１３に設定されている選局周波数fusのことをいう。
【０１１７】
メインチューナ部１２は、上述したように、主制御部２２から通知された選局周波数fumと、アンテナ１１を介して実際に受信された放送電波の放送周波数fiとの相対関係をみて、それに応じた電圧値を有するAFT信号を、主制御部２２に提供する。
【０１１８】
そこで、ステップＳ２３において、主制御部２２は、メインチューナ部１２からのAFT信号を取得する。
【０１１９】
ステップＳ２４において、主制御部２２は、ステップＳ２３の処理で取得したAFT信号の電圧値（より正確には、上述したように、その電圧値のサンプリング値の過去数回分の分類結果。即ち、高い、低い、無しの３パターンの時間推移）に基づいて、AFT信号の極性が判定したか否かを判定する。
【０１２０】
即ち、ステップＳ２３およびＳ２４並びに後述するＳ２５のループ処理は、選局周波数fumが最適周波数（放送周波数fi）にある程度近づいてきた結果として、上述したように、「高い」、「低い」、または「高い  低い」（ここでは「低い」とする）と主制御部２２により判断されているときに実行されることが多い。
【０１２１】
そこで、例えば「高い」に対してプラス（＋）の符号を付し、「低い」に対してマイナス（−）の符号を付すとする。この場合、主制御部２２の判断結果がこれまでの「高い」から「低い」に変化したときを、AFT信号の極性がプラス（＋）からマイナス（−）に反転したときと便宜的に称する。これに対して、主制御部２２の判断結果がこれまでの「低い」から「高い」に変化したときを、AFT信号の極性がマイナス（−）からプラス（＋）に反転したときと便宜的に称する。
【０１２２】
いまの場合、主制御部２２の判断結果がこれまでの「低い」から「高い」に変化したとすると、ステップＳ２４においてAFT信号の極性が反転したと判定されることになる。
【０１２３】
これに対して、主制御部２２の判断結果がこれまでの「低い」をそのまま維持しているとき、ステップＳ２４においてAFT信号の極性が反転していないと判定されて、処理はステップＳ２５に進むことになる。また、初回のステップＳ２４においても、AFT信号の極性が反転していないと強制的に判定されて、処理はステップＳ２５に進むことになる。
【０１２４】
ステップＳ２５において、主制御部２２は、更新量ｄに基づいて、選局周波数fumを上げる方向に更新する。
【０１２５】
更新量ｄとは、設定周波数データ（PLLデータ）の更新量をいう。即ち、設定周波数データは、上述した式（１）に対して今度は次の式（４）のように更新される。
【０１２６】
(新)設定周波数データ  ＝  （旧）設定周波数データ  ＋  ｄ      ・・・（４）
【０１２７】
換言すると、設定周波数データは、次の式（５）のように更新される。なお、式（５）において、ｒは、更新量ｄについての更新回数を示している。即ち、ｒには、更新量Ｄについての更新回数は含まれないことに注意が必要である。また、PLLsは、ステップＳ２２でいう「サブチューナ部１３に最後に設定した選局周波数fus」に対応する設定周波数データを示している。即ち、上述した式（３）によると、ステップＳ２２でいう「サブチューナ部１３に最後に設定した選局周波数fus」を31.25で除算した結果得られる値が、PLLｓである。
【０１２８】
（新）設定周波数データ  ＝  PLLs  ＋  ｄ×ｒ      ・・・（５）
【０１２９】
従って、ステップＳ２５において、選局周波数fuｍは次の式（６）のように更新されることになる。
【０１３０】
（新）選局周波数fum  ＝  （新）設定周波数データ  ×  31.25［kHz］
・・・（６）
【０１３１】
このようにしてステップＳ２５の処理で選局周波数fumが更新され、更新後の選局周波数fumがメインチューナ部１２に通知されると、処理はステップＳ２３に戻され、それ以降の処理が繰り返される。
【０１３２】
即ち、メインチューナ部１２は、今度は、更新後の選局周波数fumと放送周波数ｆiとの相対関係に応じた電圧値を有するAFT信号を、主制御部２２に返してくる。そこで、ステップＳ２３の処理で、そのAFT信号が取得され、ステップＳ２４の処理で、そのAFT信号の電圧値に基づいて、その極性が前回と比較して反転したか否かが再度判定される。そして、極性が反応していない場合には、ステップＳ２５の処理で、上述した式（６）に従って、選局周波数fumが上がる方向にさらに更新され、処理はステップＳ２３に戻されそれ以降の処理が繰り返し実行される。
【０１３３】
このようなステップＳ２３乃至Ｓ２５のループ処理が繰り返し実行されていくことで、選局周波数fumが、更新量ｄ×31.25［ｋＨｚ］ずつ増えていき、最適周波数（放送周波数fi）にさらに近づいていくことになる。即ち、図４の「広域選局処理」におけるステップ幅（＝更新量D×31.25［kHz］）よりも小さいステップ幅（＝更新量ｄ×31.25［kHz］）で、選局周波数fumが上がる方向に順次更新されていくことになる。
【０１３４】
ところが、選局周波数fumが、最適周波数（放送周波数fi）に対してステップ幅（＝更新量ｄ×31.25［kHz］）未満に近づいた後に、さらに、そのステップ幅だけ上げるように更新されると、今度は、最適周波数を越えてしまうことになる。即ち、選局周波数fumが、オーバーステップすることになる。このように選局周波数fumがオーバーステップした場合、主制御部２２の判断結果は「低い」から「高い」に変化するので、即ち、AFT信号の極性がマイナス（−）からプラス（＋）に反転するので、ステップＳ２４の処理で、AFT信号の極性が反転したと判定されて、処理はステップＳ２６に進むことになる。
【０１３５】
なお、上述したように、選局周波数fumが、最適周波数（放送周波数fi）により近づくと、AFT信号として、「高い  低い」が主制御部２２により判断される場合もある。このような場合、即ち、主制御部２２の判断結果がこれまでの「低い」から「高い  低い」に更新された場合、本実施の形態では、ステップＳ２４の処理で、AFT信号の極性が反転していないと判定されて、処理がステップＳ２５に進むようにすることで、選局周波数fumをオーバーステップさせることにする。ただし、「小域選局処理」のフローを図７の例とは異なるフローとすることで、このような場合にステップＳ２４の処理でAFT信号の極性が反転したと判定させることも当然ながら可能である。
【０１３６】
また、稀な場合であるが、選局周波数fumが最適周波数（放送周波数fi）と一致する場合、即ち、AFTが反応しなくなる場合がある。このような場合、本実施の形態では、ステップＳ２４の処理で、AFT信号の極性が反転したと強制的に判定され、その後図示はしないが、処理はステップＳ２６に進まずに、ステップＳ３０に進むようにすることにする。「小域選局処理」の処理時間を短縮するためである。ただし、このような場合、ステップＳ２４の処理で、AFT信号の極性が反転していないと判定されて、処理がステップＳ２５に進むようにすることで、選局周波数fumをオーバーステップさせることも当然ながら可能である。
【０１３７】
以下、ステップＳ２４の処理でAFT信号の極性が反転したと判定された以降の処理について説明する。
【０１３８】
即ち、ステップＳ２６において、主制御部２２は、更新量ｄから、それより小さい更新量△ｄに更新する。
【０１３９】
ステップＳ２７において、主制御部２２は、メインチューナ部１２からのAFT信号を取得する。
【０１４０】
ステップＳ２８において、主制御部２２は、ステップＳ２７の処理で取得したAFT信号の電圧値（より正確には、上述したように、その電圧値のサンプリング値の過去数回分の分類結果。即ち、高い、低い、無しの３パターンの時間推移）に基づいて、AFTが反応しなくなったか否かを判定する。即ち、ステップＳ２８において、主制御部２２は、選局周波数fumが最適周波数（放送周波数fi）となったか否かを判定する。
【０１４１】
なお、上述したように、選局周波数fumが最適周波数（放送周波数fi）となった場合の他、選局周波数fumが最適周波数（放送周波数fi）から大幅に外れた場合にも、AFTが反応しなくなる。そこで、実際には、主制御部２２は、ステップＳ２８の処理を実行する際、上述した図６のステップＳ１３の処理と同様に、メインチューナ部１２からのAFT信号の他、メインチューナ部１２からのh_sync信号も利用する。ただし、選局周波数fumの更新量△ｄ（正確には、設定周波数データの更新量△ｄ）は十分小さいので、ステップＳ２８の処理段階で、選局周波数fumが最適周波数（放送周波数fi）から大幅に外れる確率は低い。
【０１４２】
ステップＳ２８において、AFTが反応しなくなっていない、即ち、AFTがまだ反応していると判定された場合、処理はステップＳ２９に進む。ステップＳ２９において、主制御部２２は、更新量△ｄに基づいて、選局周波数fumを下げる方向に更新する。
【０１４３】
更新量△ｄとは、設定周波数データ（PLLデータ）の更新量をいう。また、選局周波数fumは下げる方向に更新されるので、更新量△ｄは負（−）の値とされる。即ち、設定周波数データは、上述した式（１）や式（４）に対して今度は次の式（７）のように更新される。
【０１４４】
(新)設定周波数データ  ＝  （旧）設定周波数データ  ＋  △ｄ      ・・・（７）
【０１４５】
換言すると、設定周波数データは、次の式（８）のように更新される。なお、式（８）において、ｓは、更新量△ｄについての更新回数を示している。即ち、ｓには、更新量Ｄや更新量ｄについての更新回数は含まれないことに注意が必要である。また、PLLm0は、ステップＳ２４の処理でAFT信号の極性が反転したと判定された時点の選局周波数fumに対応する設定周波数データを表している。即ち、上述した式（６）によると、ステップＳ２４の処理でAFT信号の極性が反転したと判定された時点の選局周波数fumを、31.25で除算した結果得られる値が、PLLm0である。
【０１４６】
（新）設定周波数データ  ＝  PLLm0  ＋  △ｄ×ｓ      ・・・（８）
【０１４７】
従って、ステップＳ２９において、選局周波数fuｍは次の式（９）のように更新されることになる。
【０１４８】
（新）選局周波数fum  ＝  （新）設定周波数データ  ×  31.25［kHz］
・・・（９）
【０１４９】
このようにしてステップＳ２９の処理で選局周波数fumが更新され、更新後の選局周波数fumがメインチューナ部１２に通知されると、処理はステップＳ２７に戻され、それ以降の処理が繰り返される。
【０１５０】
即ち、メインチューナ部１２は、今度は、更新後の選局周波数fumと放送周波数ｆiとの相対関係に応じた電圧値を有するAFT信号を、主制御部２２に返してくる。そこで、ステップＳ２７の処理で、そのAFT信号が取得され、ステップＳ２８の処理で、そのAFT信号の電圧値に基づいてAFTが反応しなくなったか否かが再度判定される。そして、AFTがまだ反応している場合には、ステップＳ２９の処理で、上述した式（９）に従って、選局周波数fumが下がる方向にさらに更新され、処理はステップＳ２７に戻されそれ以降の処理が繰り返し実行される。
【０１５１】
このようなステップＳ２７乃至Ｓ２９のループ処理が繰り返し実行されていくことで、選局周波数fumが、更新量△ｄ×31.25［ｋＨｚ］ずつ減少していき、最適周波数（放送周波数fi）にさらに近づいていくことになる。即ち、ステップＳ２３乃至Ｓ２５のループ処理におけるステップ幅（＝更新量d×31.25［kHz］）よりもさらに小さいステップ幅（＝更新量△ｄ×31.25［kHz］）で、今度は、選局周波数fumが下がる方向に順次更新されていくことになる。
【０１５２】
そして、選局周波数fumが最適周波数（放送周波数fi）とほぼ一致した段階で、AFTが反応しなくなるので、ステップＳ２８において、AFTが反応しなくなったと判定されて、処理はステップＳ３０に進む。
【０１５３】
ステップＳ３０において、主制御部２２は、選局周波数fumを、現在の受信チャンネルの標準周波数として登録する。
【０１５４】
即ち、ステップＳ２８の処理でAFTが反応しなくなったと判定された時点の選局周波数fumが、上述した工程２−ｋでいう「工程１−ｋよりも細かい精度で放送周波数をさらに検出し、検出された放送周波数」に相当する。従って、ステップＳ３０の処理が、上述した工程２−ｋでいう「検出された放送周波数を標準周波数として登録する」に相当することになる。
【０１５５】
このようにしてステップＳ３０の処理が終了すると、「小域選局処理」全体も終了となる。即ち、図４のステップＳ２の処理は終了し、処理はステップＳ３に進むことになる。
【０１５６】
以上、図７のフローチャートを参照して、図４のステップＳ２の「小域選局処理」の詳細について説明した。
【０１５７】
なお、上述した図７の例では、メインチューナ部１２に対する選局周波数fumの更新量（正確には、設定周波数データの更新量）は、ｄと△ｄとの２段階のみが利用されたが、更新量の段階数、即ち、ステップ幅の段階数は、図７の例に限定されず任意でよい。
【０１５８】
具体的には例えば、更新量△ｄがある程度大きいと、ステップＳ２８の処理でAFTが反応しなくなったと判定されることなく、オーバーステップが発生する場合がある。このような場合、主制御部２２は、更新量△ｄから、さらにそれより小さい更新量△d1に更新すればよい。そして、その後、主制御部２２は、ステップＳ２７乃至Ｓ２９のループ処理を繰り返し実行すればよい。ただし、この場合、ステップＳ２９の処理は「更新量△d1に基づいて、選局周波数fumを上げる方向に更新する」といった処理になる。
【０１５９】
さらに例えば、更新量△d1についてのステップＳ２７乃至Ｓ２９のループ処理が繰り返し実行されてもまだ、ステップＳ２８の処理でAFTが反応しなくなったと判定されることなく、オーバーステップが発生してしまう場合には、主制御部２２は、更新量△d1から、さらにそれより小さい更新量△d2に更新した後、ステップＳ２７乃至Ｓ２９のループ処理を繰り返し実行すればよい。ただし、この場合、ステップＳ２９の処理は「更新量△d2に基づいて、選局周波数fumを下げる方向に更新する」といった処理になる。
【０１６０】
以下、同様に、オーバーステップの発生がなくなるまで、主制御部２２は、更新量（ステップ幅）を小さくしていけばよい。
【０１６１】
具体的には例えば本実施の形態では、サブチューナ部１３に対する選局周波数fusの更新量とメインチューナ部１２に対する選局周波数fuｍの更新量とをあわせて、８段階とされているとする。具体的には例えば、更新量として、７，６，２，１，−１，−２，−６，−７が採用されているとする。なお、繰り返しになるが、更新量の段階数は、この８段階に限定されないのは言うまでもない。
【０１６２】
以上、本発明の上述した手法を適用した選局装置および方法（「チャンネルプリセット処理」に対応する方法）、即ち、本発明を適用した選局装置および方法の一例について説明した。
【０１６３】
しかしながら、本発明は、上述した例に限定されることなく、様々な実施の形態を取ることが可能である。
【０１６４】
例えば、上述した例では、工程１−ｋ（標準周波数の走査）にメインチューナ部１２が利用され、工程２−ｋ（AFTによる調整）と工程３−ｋ（音声系の検出）とにサブチューナ部１３が利用されていた。しかしながら、上述したように、本発明の手法では、工程１−ｋ、工程２−ｋ、および工程３−ｋのそれぞれに対して、任意のチューナを利用することができる。従って例えば、本発明は、工程１−ｋと工程２−ｋとに対してサブチューナ部を利用して、工程３−ｋに対してメインチューナ部を利用する形態を取ることも可能である。係る形態の選局装置は、上述した図２の構成で実現することもできるが、その他例えば、図８の構成で実現することもできる。
【０１６５】
即ち、図８は、本発明を適用した選局装置の構成例であって、図２とは異なる構成例を表している。
【０１６６】
図８の例では、放送局ｋについてのチャンネルプリセットが行われる場合、工程１−ｋ（標準周波数の走査）と工程２−ｋ（AFTによる調整）が後述するサブチューナ部６２を利用して実行され、工程３−ｋ（音声系の検出）がメインチューナ部６３を利用して実行される。
【０１６７】
アナログのテレビジョン放送信号が図示せぬ放送局から放送電波として放送され、アンテナ６１に受信されると、サブチューナ部６２と、MSP８１を搭載したメインチューナ部６３とのそれぞれは、アンテナ６１に受信された放送電波を復調し、その結果得られるテレビジョン放送信号を、映像切替部６４と音声切替部６５との両者に供給する。
【０１６８】
なお、本実施の形態では、上述した例と同様に、サブチューナ部６２とメインチューナ部６３とのそれぞれから出力されるテレビジョン放送信号を、以下、AV信号と称する。
【０１６９】
映像切替部６４には、サブチューナ部６２とメインチューナ部６３との両者からのAV信号の他、外部機器９１や外部機器９２からのAV信号も供給される。そこで、映像切替部６４は、主制御部７４の制御に基づいて、入力された２以上のAV信号の中から所定の２つを選択し、選択された２つのAV信号のうちの、一方の映像信号をクロマデコーダ６６に供給するとともに、他方の映像信号をクロマデコーダ６７に供給する。
【０１７０】
なお、映像切替部６４に入力された段階で映像信号がコンポジット信号（ＣＶＢＳ：Composite Video Burst Signal）である場合には、映像切替部６４は、そのコンポジット信号をそれぞれ輝度信号Ｙおよび色信号Ｃに分離して出力する。即ち、クロマデコーダ６６とクロマデコーダ６７とのそれぞれには、輝度信号Ｙおよび色信号Ｃに分離された映像信号が入力される。
【０１７１】
音声切替部６５にも、サブチューナ部６２とメインチューナ部６３との両者からのAV信号の他、外部機器９１や外部機器９２からのAV信号も供給される。そこで、音声切替部６５は、主制御部７４の制御に基づいて、入力された２以上のAV信号の中から所定の１つ（表示部７０にメイン表示される映像に対応するAV信号）を選択し、選択されAV信号のうちの音声信号をオーディオプロセッサ７１に供給する。
【０１７２】
クロマデコーダ６６とクロマデコーダ６７とのそれぞれは、映像切替部６４から供給された映像信号、即ち、輝度信号Ｙと色信号ＣをＹＵＶ信号に変換し、そのＹＵＶ信号をMID-XU多画面処理部６８に供給する。
【０１７３】
MID-XU多画面処理部６８は、クロマデコーダ６６とクロマデコーダ６７とのそれぞれからのＹＵＶ信号に基づいて、例えば１つの画面上に２つの画像を同時に表示させるようなＹＵＶ信号としての信号YIN，UIN，VINを生成して、映像処理部６９に供給する。
【０１７４】
映像処理部６９は、MID-XU多画面処理部６８から供給された信号YIN，UIN，VIN（映像信号）に対して各種映像処理を施し、映像処理後の映像信号を表示部７０に供給する。表示部７０は、映像処理部６９から供給された映像信号に対応する映像を表示する。即ち、表示部７０は、１画面上に２つの異なる映像を表示する。
【０１７５】
オーディオプロセッサ７１は、音声切替部６５から供給された音声信号に対して各種音声処理を施した後、アンプ７２に供給する。アンプ７２は、オーディオプロセッサ７１から供給された音声信号のゲインを調整して、ゲイン調整後の音声信号をスピーカ７３に供給する。スピーカ７３は、アンプ７２から供給された音声信号に対応する音声、即ち、表示部７０の画面上に表示されている２つの異なる映像のうちのメイン映像に対応する音声を、その音声信号のゲインに対応する音量で外部に出力する。
【０１７６】
主制御部７４は、自身が搭載されている図８の選局装置全体の制御を行う。即ち、図８の例では、主制御部７４は、サブチューナ部６２、メインチューナ部６３、映像切替部６４、音声切替部６５、クロマデコーダ６６、クロマデコーダ６７、MID-XU多画面処理部６８、映像処理部６９、表示部７０、オーディオプロセッサ７１、およびアンプ７２のそれぞれに対する各種制御を行う。
【０１７７】
具体的には例えば、チャンネルプリセットが行われる場合、主制御部７４は、上述した図４、図６、および図７のフローチャートに従って、「チャンネルプリセット処理」を実行することができる。
【０１７８】
ただし、主制御部７４は、次のように「チャンネルプリセット処理」を実行することになる。
【０１７９】
ステップＳ１において、主制御部７４は、サブチューナ部６２を制御して、図６の「広域選局処理」を実行する。図８の例では、上述した工程１−ｋ（標準周波数の走査）には、サブチューナ部６２が利用されるからである。
【０１８０】
ステップＳ２において、主制御部７４は、サブチューナ部６２を制御して、図７の「小域選局処理」を実行する。図８の例では、上述した工程２−ｋ（AFTによる調整）には、サブチューナ部６２が利用されるからである。
【０１８１】
ステップＳ３において、主制御部７４は、メインチューナ部６３のMSP８１を制御して、テレビシステムや音声多重の検出を行う。上述した工程３−ｋ（音声系の検出）は、MSP８１を搭載するメインチューナ部６３が利用行されるからである。
【０１８２】
以上説明したアンテナ６１乃至主制御部７４のそれぞれの詳細な構成については、上述した各機能を実現可能な構成であれば特に限定されない。
【０１８３】
例えば、MID-XU多画面処理部６８や映像処理部６９といった機能ブロックは、ハードウエア単体で構成してもよいし、ソフトウエア単体で構成してもよいし、或いは、ハードウエアとソフトウエアとの組み合わせで構成してもよい。
【０１８４】
また例えば、図８の例の選局装置がテレビジョン受像機として構成される場合には、主制御部７４は、一般的には、テレビジョン受像機の筺体内に搭載される関係上マイクロコンピュータで構成されることが多い。ただし、主制御部７４は、その他の機能ブロックと同様に、マイクロコンピュータ以外のハードウエア単体で構成してもよいし、ソフトウエア単体で構成してもよいし、或いは、マイクロコンピュータを含むハードウエアとソフトウエアとの組み合わせで構成してもよい。具体的には例えば、主制御部７４もまた、図３のコンピュータとして構成することが可能である。
【０１８５】
ところで、上述した一連の処理は、上述したように、ハードウエアにより実行させることもできるし、ソフトウエアにより実行させることもできる。上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１８６】
このようなプログラムを含む記録媒体は、例えば、図３に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）４１により構成されるだけでなく、装置本体に予め組み込まれた状態でユーザに提供される、プログラムが記録されているROM３２や、記憶部３８に含まれるハードディスクなどで構成される。
【０１８７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１８８】
また、本明細書において、システムとは、複数の装置や処理部により構成される装置全体を表すものである。
【図面の簡単な説明】
【０１８９】
【図１】従来のチャンネルプリセットのシーケンスを説明する図である。
【図２】本発明が適用される選局装置の構成例を示すブロック図である。
【図３】図２の主制御部の詳細な構成例を示すブロック図である。
【図４】図２の主制御部が実行する「チャンネルプリセット処理」、即ち、本発明が適用される選局方法に対応する処理の例を説明するためのフローチャートである。
【図５】図４の「チャンネルプリセット処理」が実行された場合における、チャンネルプリセットのシーケンスを説明する図である。
【図６】図４の「チャンネルプリセット処理」のうちの「広域選局処理」の詳細例を説明するフローチャートである。
【図７】図４の「チャンネルプリセット処理」のうちの「小域選局処理」の詳細例を説明するフローチャートである。
【図８】本発明が適用される選局装置の、図２とは異なる構成例を示すブロック図である。
【符号の説明】
【０１９０】
１１  アンテナ，  １２  メインチューナ部１２  サブチューナ部，  １４  AV信号入力部，  １５  入力切替部，  １６  AV分離部，  １７  音声処理部，  １８  アンプ，  １９  スピーカ，  ２０  映像処理部，  ２１  表示部，  ２２  主制御部，  ２３  MSP，  ３１  CPU，  ３２  ROM，  ３３  RAM，  ３８  記憶部，  ６１  アンテナ，  ６２  サブチューナ部，  ６３  メインチューナ部，  ６４  映像切替部，  ６５  音声切替部，  ６６，６７  クロマデコーダ，  ６８  MID-XU多画面処理部，  ６９  映像処理部，  ７０  表示部，  ７１  オーディオプロセッサ，  ７２  スピーカ，  ８１  MSP，  ９１，９２  外部機器
【図１】
2006173968.tif 000003
【図２】
2006173968.tif 000004
【図３】
2006173968.tif 000005
【図４】
2006173968.tif 000006
【図５】
2006173968.tif 000007
【図６】
2006173968.tif 000008
【図７】
2006173968.tif 000009
【図８】
2006173968.tif 000010